(57)【要約】【課題】光軸が折り曲げられた２つの光学系を駆動するときに、消費電力が少なくて済み、制御が簡単で動作時間が速く、しかも低コストで小型化を実現する。【解決手段】１群レンズ群Ｌ１と、１群レンズ群Ｌ１よりも像側にある３群レンズＬ３と、１群レンズ群Ｌ１と３群レンズＬ３の間に位置され、１群レンズ群Ｌ１の第１光軸Ｏ１と３群レンズＬ３の第２光軸Ｏ２を折り曲げ可能な反射プリズムＰとを有し、１群レンズ群Ｌ１と３群レンズＬ３を、第１光軸方向Ｏ１と第２光軸Ｏ２方向にそれぞれ移動するレンズ鏡筒であって、固定筒１１により支持され、１群レンズ群Ｌ１の光軸周りに回転する回転筒１２によって、１群レンズ群Ｌ１を駆動する第１駆動部１０と、３群レンズＬ３の光軸と略平行に配置された送りねじ２４によって、３群レンズＬ３を駆動する第２駆動部２０と、第１駆動部１０と第２駆動部２０を駆動する動力を供給する一つのズームモータ３１とを備える。【選択図】図４
2006113118.tif 000002
【特許請求の範囲】
【請求項１】
第１レンズ群と、
前記第１レンズ群よりも像側にある第２レンズ群と、
前記第１レンズ群と前記第２レンズ群の間に位置され、前記第１レンズ群の第１光軸と前記第２レンズ群の第２光軸を折り曲げ可能な光軸折曲部材とを有し、
前記第１レンズ群と前記第２レンズ群を、前記第１光軸方向と前記第２光軸方向にそれぞれ移動するレンズ鏡筒であって、
固定筒により支持され、前記第１レンズ群の光軸周りに回転する回転筒によって、前記第１レンズ群を駆動する第１駆動部と、
前記第２レンズ群の光軸と略平行に配置された送りねじによって、前記第２レンズ群を駆動する第２駆動部と、
前記第１駆動部と前記第２駆動部を駆動する動力を供給する一つの動力源と、
を備えることを特徴とするレンズ鏡筒。
【請求項２】
請求項１に記載のレンズ鏡筒において、
前記回転筒は、回転しながら前記第１レンズ群を光軸方向に移動可能であり、前記第１駆動部からの動力を受けるギア部を有し、
前記第１駆動部は、前記ギア部とかみ合う第１ギアを有し、
前記第１ギアは、前記第１レンズ群の光軸を挟んで前記第２レンズ群と対向する側に配置されること、
を特徴とするレンズ鏡筒。
【請求項３】
請求項２に記載のレンズ鏡筒において、
前記第２駆動部は、前記駆動源からの動力を受け、前記送りねじと一体で回転する第２ギアを有し、
前記第２ギアは、前記送りねじの前記第１レンズ群の光軸側の一端に配置されること、
を特徴とするレンズ鏡筒。
【請求項４】
請求項２又は請求項３に記載のレンズ鏡筒において、
前記光軸折曲部材と前記第２レンズ群の間に第３レンズ群を有し、
前記第２ギアは、前記第３レンズ群の外周近傍にあって、一部が前記固定筒の内部にあること、
を特徴とするレンズ鏡筒。
【請求項５】
請求項２に記載のレンズ鏡筒において、
前記第１駆動部は、前記駆動源から発せられる駆動力を前記回転筒に伝達する第１ギア列を有し、
前記第２駆動部は、前記送りねじに伝達し前記第１ギア列よりも減速比の小さい第２ギア列を有し、
前記第２ギアは、前記第１レンズ群の光軸よりも前記第２レンズ群側にあって、
前記第１ギア列と前記第２ギア列の分岐部は、前記第１レンズ群の光軸よりも前記第２レンズ群側に配置したこと、
を特徴とするレンズ鏡筒。
【請求項６】
請求項１に記載のレンズ鏡筒において、
前記第１駆動部と前記第２駆動部との間で、前記動力源からの動力を接断するクラッチ部を備えること、
を特徴とするレンズ鏡筒。
【請求項７】
請求項６に記載のレンズ鏡筒において、
前記第１駆動部は、前記送りねじへの動力をギア列によって伝達し、
前記クラッチ部は、前記ギア列の少なくとも一部のギアを回転軸方向に移動させることによって、前記回転筒との連動を接断すること、
を特徴とするレンズ鏡筒。
【発明の詳細な説明】
【技術分野】
【０００１】
本発明は、ミラーやプリズムで光軸を折り曲げた折り曲げ光学系を備えたレンズ鏡筒に関するものである。
【背景技術】
【０００２】
従来、この種のレンズ鏡筒は、カメラの奥行き方向を薄くするため、光軸を折り曲げる折り曲げ光学系を備えていた。
例えば、ズームレンズを使用するカメラの特に奥行き方向の寸法を小型化するために、複数のレンズ群より構成されるズームレンズ系において、ズーミングの際に移動するレンズ群とレンズ群の間に、光軸を折り曲げるミラーを配置したズームレンズ系を開示している（例えば、特許文献１，特許文献２）。
【０００３】
しかし、特許文献１は、ミラーにより折り曲げられた２つの光学系を駆動する具体的構造が開示されておらず、また、特許文献２は、略直交する光軸上に移動可能に配置された２つの光学系を、それぞれ駆動しなければならず、却って、小型化を阻害する可能があった。
【０００４】
また、対物側の光学系を収容する固定筒は、直交する像側の光学系があるため、開口部が必要となり、ギアによって回転する回転筒の回転角を大きくできない。つまり、回転筒を一定以上回転させると、折り曲げ後の光路内に進入してしまうからである。
【０００５】
さらに、２つの光学系を１つの動力源で駆動しようとする場合には、動力を分岐して駆動するときに、位相あわせの必要が生じる。
一方、個々に動力源を持って駆動しようとする場合には、同時に複数のモータを駆動するか、又は、交互に駆動することになる。しかし、前者の場合には、同時に消費する電力が大きくなり、電池寿命に影響が大きい。また、後者の場合には、ズームの動作に時間がかかったり、制御が複雑になったりする。
【特許文献１】特開２０００−１８７１５９号公報
【特許文献２】特開平１１-２５８６７８号広報
【発明の開示】
【発明が解決しようとする課題】
【０００６】
本発明の課題は、光軸が折り曲げられた２つの光学系を駆動するときに、消費電力が少なくて済み、制御が簡単で動作時間が速く、しかも、低コストで小型化を実現することができるレンズ鏡筒を提供することである。
【課題を解決するための手段】
【０００７】
本発明は、以下のような解決手段により、前記課題を解決する。なお、理解を容易にするために、本発明の実施形態に対応する符号を付して説明するが、これに限定されるものではない。
請求項１の発明は、第１レンズ群（Ｌ１）と、前記第１レンズ群よりも像側にある第２レンズ群（Ｌ３）と、前記第１レンズ群と前記第２レンズ群の間に位置され、前記第１レンズ群の第１光軸と前記第２レンズ群の第２光軸を折り曲げ可能な光軸折曲部材（Ｐ）とを有し、前記第１レンズ群と前記第２レンズ群を、前記第１光軸方向と前記第２光軸方向にそれぞれ移動するレンズ鏡筒であって、固定筒（１１）により支持され、前記第１レンズ群の光軸周りに回転する回転筒（１２）によって、前記第１レンズ群を駆動する第１駆動部（１０）と、前記第２レンズ群の光軸と略平行に配置された送りねじ（２４）によって、前記第２レンズ群を駆動する第２駆動部（２０）と、前記第１駆動部と前記第２駆動部を駆動する動力を供給する一つの動力源（３０）と、を備えることを特徴とするレンズ鏡筒である。
請求項２の発明は、請求項１に記載のレンズ鏡筒において、前記回転筒（１２）は、回転しながら前記第１レンズ群を光軸方向に移動可能であり、前記第１駆動部からの動力を受けるギア部（１２ａ）を有し、前記第１駆動部は、前記ギア部とかみ合う第１ギア（Ｇ１６）を有し、前記第１ギア（Ｇ１６）は、前記第１レンズ群の光軸を挟んで前記第２レンズ群と対向する側に配置されること、を特徴とするレンズ鏡筒である。
請求項３の発明は、請求項２に記載のレンズ鏡筒において、前記第２駆動部（２０）は、前記駆動源（３０）からの動力を受け、前記送りねじ（２４）と一体で回転する第２ギア（Ｇ２３）を有し、前記第２ギア（Ｇ２３）は、前記送りねじの前記第１レンズ群の光軸側の一端に配置されること、を特徴とするレンズ鏡筒である。
請求項４の発明は、請求項２又は請求項３に記載のレンズ鏡筒において、前記光軸折曲部材（Ｐ）と前記第２レンズ群（Ｌ３）の間に第３レンズ群（Ｌ２）を有し、前記第２ギア（Ｇ２３）は、前記第３レンズ群（Ｌ２）の外周近傍にあって、一部が前記固定筒（１１）の内部にあること、を特徴とするレンズ鏡筒である。
請求項５の発明は、請求項２に記載のレンズ鏡筒において、前記第１駆動部（１０）は、前記駆動源（３０）から発せられる駆動力を前記回転筒（１２）に伝達する第１ギア列（Ｇ１０）を有し、前記第２駆動部（２０）は、前記送りねじ（２４）に伝達し前記第１ギア列よりも減速比の小さい第２ギア列（Ｇ２０）を有し、前記第２ギア（Ｇ２３）は、前記第１レンズ群の光軸よりも前記第２レンズ群（Ｌ３）側にあって、前記第１ギア列と前記第２ギア列の分岐部（Ｄ）は、前記第１レンズ群の光軸よりも前記第２レンズ群（Ｌ３）側に配置したこと、を特徴とするレンズ鏡筒である。
請求項６の発明は、請求項１に記載のレンズ鏡筒において、前記第１駆動部（１０）と前記第２駆動部（２０）との間で、前記動力源（３０）からの動力を接断するクラッチ部を備えること、を特徴とするレンズ鏡筒である。
請求項７の発明は、請求項６に記載のレンズ鏡筒において、前記第１駆動部（１０）は、前記送りねじ（２４）への動力をギア列（Ｇ２０）によって伝達し、前記クラッチ部は、前記ギア列の少なくとも一部のギア（Ｇ２３）を回転軸方向に移動させることによって、前記回転筒（１２）との連動を接断すること、を特徴とするレンズ鏡筒である。
【発明の効果】
【０００８】
以上説明したように、本発明によれば、以下のような効果がある。
（１）第１駆動部は、光軸折曲部材よりも像側の第１レンズ群の駆動を、送りねじで行うので、光軸周りを回転するカムやヘリコイド等を有する回転筒で駆動する場合に比べて、小さなスペースで、大きな移動量を得ることができる。
また、本発明においては、一般の沈胴タイプのレンズ鏡筒と、動力源の数や種類を同じにすることができるために、同様の制御で駆動でき、制御ソフトの開発負荷も軽い。
さらに、個々に駆動する場合と比べて、モータなどの動力源が少なくて済み、コスト，消費電力が少なくて済む。
【０００９】
（２）回転筒に動力を伝達するギア部を、第１レンズ群に対して、第２レンズ群の反対側に配置するので、回転筒の回転角を大きくでき、第１駆動部（例えば、カムやヘリコイド等）で駆動する負荷を軽くすることができる。
（３）回転筒に動力を伝達するギア部を、第１レンズ群に対して、第２レンズ群の反対側に配置する場合に、送りねじの一端に設ける第２ギアを、第１レンズ群の光軸側に配置するので、第２駆動部(例えば、ギア列)のスペースを少なくすることができる。
【００１０】
（４）送りねじの一端に設ける第２ギアを、光軸屈曲部材の後の第３レンズ群の脇に配置するので、固定筒の内部空間を有効に活用でき、スペース効率を高めることができる。
【００１１】
（５）回転筒を回す第１ギアと送りねじと一体に回転する第２ギアが、第１レンズ群の光軸を挟んで対向して配置される場合に、送りねじと一体に回転する第２ギア側に分岐部を設けたので、ギア列の配置が効率的である。
【００１２】
（６）第１駆動部と第２駆動部の動力を接断するクラッチ部、具体的には、送りねじと連動しているギア列を、送りねじとの連動を保ち、回転筒との連動を断つクラッチ部を設けたので、ギアの回転により回転筒との位相調整が可能となる。
また、送りねじで駆動するレンズ群が広角端と望遠端の像面位置を揃える調整に適用可能な場合には、回転筒側と送りねじ側の位相あわせと同時に調整可能となる。
【発明を実施するための最良の形態】
【００１３】
本発明は、消費電力が少なくて済み、制御が簡単で動作時間が速く、しかも、低コストで小型化を実現するという目的を、光軸を折り曲げる反射プリズムの反射面よりも物体側のレンズ群を光軸周りに回転する回転筒で駆動し、さらに、光軸を折り曲げた後のレンズ群の少なくとも１つを送りねじで駆動し、回転筒と送りねじとを同一の駆動源で同時に駆動することによって実現する。
【実施例】
【００１４】
以下、図面等を参照して、本発明の実施例をあげて、さらに詳しく説明する。
図１（ａ），（ｂ）は、それぞれ本発明の実施例１であるカメラのレイアウトを示す正面及び平面図である。
図２及び図３は、図１（ａ）のＡ−Ａ断面図であって、図２は、ワイド（Ｗ）状態を示す図、図３は、テレ（Ｔ）状態を示す図である。
図４は、実施例１のカメラの折り曲がった後の光軸付近の縦断面（図１（ｂ）Ｂ−Ｂ断面図）である。
図５は、実施例１のカメラの第１駆動部のギア列を示す図である。
図６は、実施例１のカメラの折り曲がった後の光軸の３群レンズ付近を示す縦断面である。
【００１５】
（光学系）
本実施例のカメラは、図１〜図３に示すように、１群レンズＬ１〜４群レンズＬ４の４群構成の光学系を備えており、ズーミングは、１群レンズＬ１，３群レンズＬ３，４群レンズＬ４の移動により行われる。また、フォーカシングは、４群レンズＬ４の移動により行われる。
３群レンズＬ３は、３群レンズ室２３で保持されており、３群レンズ室２３には、シャッタＳと、絞りＥが設けられている（図２参照）。
【００１６】
反射プリズム（光軸折曲部材）Ｐは、２群レンズＬ２内にあって、１群レンズ（第１レンズ群）Ｌ１と３群レンズ（第２レンズ群）Ｌ３の間に位置され、対物側のレンズ群の第１光軸Ｏ１と像側のレンズ群の第２光軸Ｏ２とを略垂直に折り曲げている。そして、対物側のレンズ群（１群レンズＬ１）は、第１光軸Ｏ１方向に移動し、像側のレンズ群（３群レンズＬ３、４群レンズＬ４）は、第２光軸Ｏ２方向に移動する。
【００１７】
本実施例では、１群レンズＬ１は、回転筒１１で駆動され、３群レンズＬ３は、送りねじ２４で駆動され、４群レンズＬ４は、ステッビングモータ（図４）で駆動される。１群レンズＬ１及び３群レンズＬ３は、同一のズームモータ３１で駆動され、同時に移動し、その後で、４群レンズＬ４が移動する。
また、図４、図６に示すように、３群レンズＬ３は、２本のガイド軸２２Ａ，２２Ｂで支持されている。また、４群レンズＬ４も、共通のガイド軸２２Ａ，２２Ｂで支持されている。
【００１８】
（カメラ全体の構成）
本実施例のカメラは、図１（ａ）に示すように、前カバー１ａ，後カバー１ｂ（図２参照）からなるカメラ筐体１の正面には、上部略中央部にフラッシュ発光部２が設けられ、上部左側の内部には、フラッシュ用コンデンサ３が配置されている。また、図１（ｂ）に示すように、フラッシュ用コンデンサ３の前側には、電池室５が形成され（図６参照）、電池室５には電池６は収容され、電池蓋５ａで電池室５の開口部が開閉可能である。フラッシュ用コンデンサ３の後ろ側には、メイン基板７が配置されている。
このカメラは、図４に示すように、第１駆動部１０と、第２駆動部２０と、動力源３０と、フォーカス駆動部４０と、撮影部５０等とを備えている。
【００１９】
第１駆動部１０は、固定筒１１と、回転筒１２と、１群保持筒１３、キーＫ１〜Ｋ３などを備え、固定筒１１により支持され、光軸Ｏ１周りに回転する回転筒１２によって、１群レンズ（第１レンズ群）Ｌ１を駆動する機構である（後で詳述する）。
【００２０】
第２駆動部２０は、第２光軸Ｏ２と略平行に配置された送りねじ２４によって、３群レンズ（第２レンズ群）Ｌ３を駆動する機構である（後で詳述する）。
【００２１】
動力源３０は、第１駆動部１０と第２駆動部２０を駆動する動力を供給する一つの動力源であり、本実施例では、ズームモータ３１とギア列の一部が含まれている。
ズームモータ３１は、その出力軸に圧入されたウォーム３２と、平歯車３２の二段構成のギアが設けられており、図５に示すように、ウォーム３２から連なるギア列Ｇ１０（Ｇ１１〜Ｇ１６）で回転筒１２を駆動し、平歯車３３から連なるギア列Ｇ２０（Ｇ２１〜Ｇ２３）で送りねじ２１を駆動している。
本実施例においては、一般の沈胴タイプの鏡筒とモータ数・種類は同じであるために、同様の制御で行え、制御ソフトの開発負荷も軽い。
なお、ステッピングモータ３１は、出力軸の反対側に、フォトインタラプタ（ＰＩ）用羽根３４が設けられており、ＰＩ３５によって、回転位置が検出されている。
【００２２】
フォーカス駆動部４０は、４群レンズ（フォーカスレンズ）Ｌ４を保持する４群レンズ室４１と、４群レンズ室４１を単独で駆動するステッピングモータ（フォーカスモータ）４２とを備えている（図４参照）。
【００２３】
撮像部５０は、図３〜図５に示すように、４群レンズＬ４の光軸後方に配置されており、枠体５１に、ＬＰＦ（ローパスフィルタ）５２、ＬＰＦ押さえゴム５３、ＣＣＤ５４、スペーサ５５、ＣＣＤ基板５６の順で配置されている。
【００２４】
（第１駆動部１０の詳細な説明）
回転筒１２は、図５に示すように、回転しながら１群レンズＬ１を光軸方向Ｏ１に移動可能であり、第１駆動部１０のギア列Ｇ１１〜Ｇ１６からの動力を受けるギア部１２ａを有している。第１駆動部１０は、ギア部１２ａとかみ合うギア（第１ギア）Ｇ１６を有しており、このギアＧ１６は、１群レンズ（第１レンズ群）Ｌ１の光軸Ｏ１を挟んで、３群レンズ（第２レンズ群）Ｌ３と対向する側に配置されている。
このように、回転筒１２に動力を伝達するギアＧ１６を、光軸Ｏ１を折り曲げた側に対して反対側に配置したので、回転筒１２の回転角を大きくでき、カムやヘリコイドで駆動する負荷を軽くすることができる。
【００２５】
（第２駆動部２０の詳細な説明）
第２駆動部２０は、図６に示すように、固定枠２１と、固定枠２１に取り付けされた２本のガイド軸２２Ａ，２２Ｂと、３群レンズＬ３を保持しガイド軸２２Ａ，２２Ｂに案内されて光軸Ｏ２方向に移動する３群レンズ室２３と、ギア列Ｇ２１〜Ｇ２３の最終ギアＧ２３が設けられた送りねじ２４と、送りねじ２４に螺合するナット２５と、３群レンズ室２３に設けられナット２５と係合し、３群レンズ室２３の回転を規制して、光軸Ｏ２方向に直進させる回転止めボス２６と、３群レンズ室２３を反射プリズムＰ側に付勢する付勢ばね２７などとを備えている。
このように、反射プリズムＰの反射面よりも像面側の可動群である３群レンズＬ３の駆動を送りねじ２４で行うので、光軸周りを回転するカムやヘリコイド等を有する筒で駆動する場合に比べて、小さなスペースで大きな移動量を実現できる。
【００２６】
第２駆動部２０は、ズームモータ（駆動源）３１からの動力を受け、送りねじ２４と一体で回転するギア（第２ギア）Ｇ２３を有しており、このギアＧ２３は、送りねじ２４の１群レンズ（第１レンズ群）Ｌ１の光軸Ｏ１側の一端に配置されている。
上述したように、回転筒１２に動力を伝達するギアＧ１６を、光軸を折り曲げた側に対して反対側に配置する場合に、送りねじ２４の一端に設けるギアＧ２３を、１群レンズＬ１の光軸Ｏ１側に配置するので、ギア列Ｇ２１〜Ｇ２３のスペースを少なくすることができる。
【００２７】
また、本実施例では、反射プリズムＰと３群レンズ（第２レンズ群）Ｌ３の間に、２群レンズ（第３レンズ群）Ｌ２を有し、ギア（第２ギア）Ｇ２３は、２群レンズＬ２の外周近傍にあって、一部が固定筒１１の内部にある。
このように、送りねじ２４の一端に設けるギアＧ２３を反射プリズムＰの後の２群レンズＬ２の脇に配置したので、固定筒１１の内部空間を有効に活用でき、スペース効率を高めることができる。
【００２８】
第１駆動部１０は、ズームモータ３１から発せられる駆動力を回転筒１２に伝達するギア列（第１ギア列）Ｇ１１〜Ｇ１６を有し（図５）、第２駆動部２０は、送りねじ２４に伝達し、ギア列Ｇ１１〜Ｇ１６よりも減速比の小さいギア列（第２ギア列）Ｇ２１〜Ｇ２３を有している。ギア（第２ギア）Ｇ２３は、１群レンズＬ１の光軸Ｏ１よりも３群レンズＬ３側にあって、ギア列Ｇ１１〜Ｇ１６とギア列Ｇ２１〜Ｇ２３の分岐部（図５の矢印Ｄ）は、１群レンズＬ１の光軸Ｏ１よりも３群レンズＬ３側に配置してあるので、ギア列の配置が効率的である。
ここで、小さな直径で大きな移動量を駆動するために、高速回転が要求される送りねじ２４の減速比Ａと、送りねじ２４と比べて大きな直径で質量が重くなりがちな対物側のレンズをカムやヘリコイド等で駆動する回転筒１２の減速比Ｂの関係は、Ａ＜Ｂとすることが好ましい。
また、回転筒１２を回すギアＧ１６と送りねじ２４と一体に回転するギアＧ２３が１群レンズＬ１の光軸Ｏ１を挟んで対向して配置される場合には、送りねじ２４と一体に回転するギアＧ２３側に分岐部Ｄを設けることが好ましい。
【００２９】
本実施例では、第１駆動部１０と第２駆動部２０との間で、ズームモータ３１からの動力を接断するクラッチ部を備えている。第１駆動部１０は、送りねじ２４への動力をギア列Ｇ２１〜Ｇ２３によって伝達し、クラッチ部は、ギア列Ｇ２１〜Ｇ２３の少なくとも一部のギア（ここでは、ギアＧ２３）を回転軸方向に移動させることによって、回転筒１２との連動を接断することができる。
送りねじ２４と連動しているギアＧ２３は、送りねじ２４との連動を保ち、回転筒１２との連動を断つので、後述するように、ギアの回転により回転筒１２との位相を調整することが可能となる。また、送りねじで駆動する３群レンズＬ３が広角端と望遠端の像面位置を揃える調整に適用可能な場合には、回転筒１２側と送りねじ２４側の位相あわせと同時に調整可能となる。
【００３０】
つまり、第２駆動部２０は、送りねじ２４による駆動力がナット２５に伝達され、３群レンズ室２３は、回転止めボス２６により回転を規制されるため直進する。また、３群レンズ室２３は、付勢ばね２７によりブリズムＰ側に付勢されている。
したがって、３群レンズ室２３は、ナット２５がブリズムＰ方向へ移動すると追従して移動する。逆に、ナット２５は、ＣＣＤ側に移動するときは、付勢ばね２７の付勢力に抗して駆動されることになる。
【００３１】
本実施例では、送りねじ２４は、より細かな調整を行うために、軸受部材２９によって送りねじ２４が一体で回転するギアＧ２３と一緒に光軸方向に移動可能とし、通常は、反射プリズム側へ３群レンズ室２３を介して、付勢ばね２７により付勢されているが、ＣＣＤ側に寄せたとき、直前のギアＧ２２とのかみ合いがはずれ、ギアＧ２３を回転して再度組み立てを行うことで調整を行う。
このとき、図４に示すように、ナット２５と３群レンズ室２３の間に、厚みの異なるワッシャ２８を入れることによって、回転筒１２により駆動される１群レンズＬ１と送りねじ２４により駆動される３群レンズＬ３の位相あわせや、広角端と望遠端の像面位置を揃える調整（振分調整）が可能となる。
【００３２】
送りねじ２４は、リードの調整時に回転させるギアの歯数Ｚにより除した値Ｌ／Ｚを、広角端と望遠端の像面位置を揃える調整（振分調整）における許容ずれ量よりも小さくする。位相ずれや振分調整量が大きい場合（例えば、Ｌ／２より大きい）には、ギアの必要回転量が大きく、調整作業に時間がかかるため、ワッシャ２８と併用する。
【００３３】
（変形例）
以上説明した実施例に限定されることなく、種々の変形や変更が可能であって、それらも本発明の均等の範囲内である。
（１）本実施例では、ギア列Ｇ１１〜Ｇ１６で回転筒１２を駆動し、ギア列Ｇ２１〜Ｇ２３で送りねじ２１を駆動するというように、初めから分かれているが、途中まで共通のギア列でそこから分岐する構成でもよい。
（２）本実施例では、クラッチ部として、調整時に送りねじ２４と一体のギアＧ２３と、回転筒１３とのギア連結をはずしたけれども、分岐後の送りねじ２４までのギア列のどのギアで連結をはずしてもよい。
【図面の簡単な説明】
【００３４】
【図１】図１（ａ），（ｂ）は、それぞれ本発明の実施例１であるカメラのレイアウトを示す正面及び平面図である。
【図２】図１（ａ）のＡ−Ａ断面図であって、ワイド（Ｗ）状態を示す図である。
【図３】図１（ａ）のＡ−Ａ断面図であって、テレ（Ｔ）状態を示す図である。
【図４】実施例１のカメラの折り曲がった後の光軸付近の縦断面（図１（ｂ）Ｂ−Ｂ断面図）である。
【図５】実施例１のカメラの第１駆動部のギア列を示す図である。
【図６】実施例１のカメラの折り曲がった後の光軸の３群レンズ付近を示す縦断面である。
【符号の説明】
【００３５】
Ｌ１〜Ｌ４  １群レンズ〜４群レンズ
Ｐ  反射プリズム（光軸折曲部材）
Ｇ１０（Ｇ１１〜Ｇ１６），Ｇ２０（Ｇ２１〜Ｇ２３）  ギア列
１０  第１駆動部
１１  固定筒
１２  回転筒
１３  １群保持筒
２０  第２駆動部
２１  固定枠
２２Ａ，２２Ｂ  ガイド軸
２３  ３群レンズ室
２４  送りねじ
２５  ナット
２６  回転止めボス
２７  付勢ばね
３０  動力源
３１  ズームモータ
４０  フォーカス駆動部
４１  ４群レンズ室
４２  ステッピングモータ
５０  撮影部
５１  枠体
５２  ＬＰＦ（ローパスフィルタ）
５３  ＬＰＦ押さえゴム
５４  ＣＣＤ
５５  スペーサ
５６  ＣＣＤ基板
【図１】
2006113118.tif 000003
【図２】
2006113118.tif 000004
【図３】
2006113118.tif 000005
【図４】
2006113118.tif 000006
【図５】
2006113118.tif 000007
【図６】
2006113118.tif 000008